(57)【要約】【課題】  事務用ハサミの使用での切り口の反りを防ぐ。また高齢者や子供が使用しても直線が楽に切れるハサミの提供。【解決手段】  刃元から刃先までの刃線と同じ形状で特定の厚みからなる支え板の間に、刃線及び研磨刃を除いた部分に特定の厚みのスペーサーを入れ、ハサミ本体の刃線から切断対象の紙等の厚み以上、遠ざけて取り付け、切断時の紙等の変形を抑えた。【選択図】  図２
2020036664.tif 000002
【特許請求の範囲】
【請求項１】
金属板をプレス成形された板状のものからなる事務用のハサミの静、動双方の刃元より
刃先側の刃表面にハサミの刃元から刃先までの刃線と同じ形状で刃線と反対側は本体の刃幅を
超えない幅とした特定の厚みからなる支え板の間に、刃線及び研磨刃を除いた部分に特定の
厚みのスペーサーを入れ、ハサミ本体の刃線から切断対象の紙等の厚み以上、遠ざけて
取り付け、切断時の紙等の変形を抑える事を特徴とする直線が楽に切れるハサミ。
【請求項２】
支え板を取り付けた請求項１の形にする事により、紙等の切断時に
紙等の重力を点で受け不安定な状態で切断作業が行われていたものが
線、もしくは面で受け、より安定した状態で切断作業が行われる様になった事を
特徴とする直線が楽に切れるハサミ。
【請求項３】
請求項１の形状にすることによりハサミ本体の静、動双方の刃で紙の切断を始めると
同時に刃の付かない支え板に切断力が分散されハサミにかかる力が軽くなる事を特徴と
する直線が楽に切れるハサミ。
【請求項４】
請求項１の形状の支え板を取り付けた事により
切断が始まり支え板で支えた時には水平断面で刃線の２点と支え板の２点で保持され
切断対象の紙等は刃線の反りの影響を受けにくくなる事を特徴とする直線が楽に
切れるハサミ。
【発明の詳細な説明】
【技術分野】
【０００１】
本発明はオフィスや家庭で好適に用いられる事務用ハサミに関するものである。                                                                                                     
【背景技術】
【０００２】
オフィスや家庭で事務処理作業等の中で簡単に紙等を直線に切りたい場合に
切り口に刃線の反りが出てしまいもどかしい思いをする場面が多い。
又高齢者や子供がチラシやコピー用紙等をハサミの反りや紙の曲がりを修正しながら
直線を切ることは難しく、カッター等を使用してしまう場面が多い。
しかし、高齢者や子供では安全上不安が残るのが現状である。
【先行技術文献】
【特許文献】
【０００３】
【特許文献１】特許６１５９９１３
【発明の概要】
【発明が解決しようとする課題】
【０００４】
オフィスや家庭で好適に用いられる事務用ハサミの使用での作業の効率化をはかると共に
もどかしさをなくしたい。また高齢者や子供が使用してもハサミの反りや紙の曲がりを
あまり気にしないで切断時に紙の変形を抑える事により直線が楽に切れるハサミを提供したい。
【課題を解決するための手段】
【０００５】
金属板をプレス成形された板状のものからなる事務用のハサミの静、動双方の刃元より
刃先側の刃表面にハサミの刃元から刃先までの刃線と同じ形状で刃線と反対側は本体の刃幅を
超えない幅とした特定の厚みからなる支え板の間に、刃線及び研磨刃を除いた部分に特定の
厚みのスペーサーを入れ、ハサミ本体の刃線から切断対象の紙等の厚み以上、遠ざけて
取り付け、切断時の紙等の変形を抑える。
これにより静、動双方の刃線により切断対象の紙等の先端が切断された後、支え板で
切断対象の紙等を支え、曲げ等の切断対象の変形を抑える。
また静、動双方の刃表側に刃線と同じ形状の支え板を取り付けた事により
切断が始まり支え板で支えた時には水平断面で刃線の２点と支え板の２点で保持され
切断対象の紙等は刃線の反りの影響を受けにくくなる．
また支え板を取り付けた請求項１の形にする事により、紙等の切断時に
紙等の重力を点で受け不安定な状態で切断作業が行われていたものが
線、もしくは面で受け、より安定した状態で切断作業が行われる。
そして請求項１の形状にすることによりハサミ本体の静、動双方の刃で紙の切断を始めると
支え板と刃線の合力が支え板と刃線の中央付近を力点とした曲げモーメントが切断の助けをする等で
オフィスや家庭で好適に用いられる事務用の一般的なハサミより軽く楽に切れる様になった。
【発明の効果】
【０００６】
オフィスや家庭で事務用として使用され作業時に刃線の反りによる切り口の乱れ等による
作業時間の低下が解消される。また高齢者や子供が使用しても
ハサミの反りや紙の曲がりをあまり気にしないで紙等の切断ができるようになる。
【図面の簡単な説明】
【０００７】
【図１】図１は一般的な事務用バサミで紙等を切断している時の断面図である。
【図２】図２は支え板を付けた状態の断面図である。
【図３】図３は支え板を付けた状態の全体図である。
【図４】図４は支え板を付けて紙等を切断している時の上面図である。
【図５】図５は一般的な事務用バサミで紙等を切断している時の上面図である。
【発明を実施するための形態】
【０００８】
本発明の実施形態を図１〜図５に基づいて説明する。
【０００９】
図１は一般的な事務用バサミで紙等を切断している時の断面を示した図である。
【００１０】
図２は支え板を付けた状態の断面図で、静、動双刃の外側にスペーサー、支え板で紙等を
切断している仕組みについて現している。
【００１１】
図３は支え板を付けた時の全体図である。刃線と支え板の関係を側面から示している。
【００１２】
図４は支え板を付けて紙等を切断している時の上面図である。切断時に紙等が保持され
切断が安定した状態で行われる事を示している。
【００１３】
図５は一般的な事務用バサミで紙等を切断している時の上面図である。切断作業に入る前から
非常に不安定で、刃の反りを合わせて考えると直線が上手く切れない状態である。
【実施例】
【００１４】
図２は、本発明の代表図である。
【産業上の利用可能性】
【００１５】
オフィスや家庭用のハサミとして作業時に刃線の反り等による作業時間の低下が
解消されるハサミとして、また高齢者や子供が使用しても
ハサミの反りや紙の曲がりをあまり気にしないで紙等の切断ができるようになる。
【符号の説明】
【００１６】
１  紙やビニール袋等
２  刃片
３  柄部
４  支軸
５  ハサミ本体の刃線と支え板の取り付け位置の位相差
６  支え板付きのハサミで切った時のカエリの広がり
７  支え板
８  スペーサー
９  刃線
１０  支え板と刃線の合力が加わる位置  
１１  刃裏面
１２  刃先
１３  刃元
【図１】
2020036664.tif 000003
【図２】
2020036664.tif 000004
【図３】
2020036664.tif 000005
【図４】
2020036664.tif 000006
【図５】
2020036664.tif 000007
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ハサミの刃表にスペーサーを介し、支え板を遠ざけると同時に図２の５で示す様に刃線より
下に取り付ける事を特徴とする直線が楽に切れるハサミ。
【請求項２】
請求項１に記載したハサミであって、線、もしくは面で受け、より安定した状態で切断作業
が行われる様になった事を特徴とする直線が楽に切れるハサミ。
【請求項３】
請求項１に記載したハサミであって、切断を始めると同時に刃の付かない支え板に切断力
が分散されハサミにかかる力が軽くなる事を特徴とする直線が楽に切れるハサミ。
【請求項４】
請求項１に記載したハサミであって、切断対象の紙等は刃線の反りの影響を受けにくくなる
事を特徴とする直線が楽に切れるハサミ。
【手続補正２】
【補正対象書類名】明細書
【補正対象項目名】全文
【補正方法】変更
【補正の内容】
【発明の詳細な説明】
【技術分野】
【０００１】
本発明は事務・工作用のハサミに関するものである。
【背景技術】
【０００２】
事務・工作の作業で紙等を直線に切りたい時、刃線の反りの影響等で直線に切るのは
難しい。また、高齢者や子供にカッターでの作業は危険が伴う。
【先行技術文献】
【特許文献】
【０００３】
【特許文献１】特許６１５９９１３
【発明の概要】
【発明が解決しようとする課題】
【０００４】
事務・工作の作業の効率化をはかると共にもどかしさをなくしたい。また高齢者や子供
が使用してもハサミの反りや紙の曲がりを気にしないで切断時に紙の変形を抑える事に
より直線が楽に切れるハサミを提供したい。
【課題を解決するための手段】
【０００５】
事務・工作用のハサミの静、動双方の刃表に、ハサミの刃元から刃先までの刃線と同じ形状
の支え板を特定の厚みのスペーサーを介し、遠ざけて取り付け、切断時の紙等にかかる負荷
を抑える。同時に図２−５で示す様に支え板を刃線より下に取り付ける事により刃線で切断対象
の紙等を切断した後、支え板で切断対象の紙等を支え、曲げ等の切断対象の変形を抑える。
また静、動双方の刃表側に刃線と同じ形状の支え板を取り付けた事により切断が始まり支え板
で支えた時には水平断面で刃線の２点と支え板の２点で保持され切断対象の紙等は刃線の反り
の影響を受けにくくなる。
また支え板を取り付けた請求項１の形にする事により、紙等の切断時に紙等の重力を点で受け
不安定な状態で切断作業が行われていたものが線、もしくは面で受け、より安定した状態で切断
作業が行われる。そして請求項１の形状にすることによりハサミ本体の静、動双方の刃で紙の
切断を始めると支え板と刃線の合力が支え板と刃線の中央付近を力点とした曲げモーメントが
切断の助けをする等でハサミの反りや紙の曲がりをあまり気にしないで紙等の切断ができる
ようになる。
【発明の効果】
【０００６】
事務・工作の作業の時、刃線の反りによる切り口の乱れ等をなくすることで、効率を上げ、品質を
上げることができる。また高齢者や子供が使用しても、同様の効果がある。
【図面の簡単な説明】
【０００７】
【図１】図１は一般的な事務用バサミで紙等を切断している時の断面図である。
【図２】図２は支え板を付けた状態の断面図である。
【図３】図３は支え板を付けた状態の全体図である。
【図４】図４は支え板を付けて紙等を切断している時の上面図である。
【図５】図５は一般的な事務用バサミで紙等を切断している時の上面図である。
【発明を実施するための形態】
【０００８】
本発明の実施形態を図１〜図５に基づいて説明する。
【０００９】
図１は事務・工作用のハサミで紙等を切断している時の断面を示した図である。
【００１０】
図２は支え板を付けた状態の断面図で、静、動双刃の外側にスペーサー、支え板で紙等を
切断している仕組みについて現している。
【００１１】
図３は支え板を付けた時の全体図である。刃線と支え板の関係を側面から示している。
【００１２】
図４は支え板を付けて紙等を切断している時の上面図である。切断時に紙等が保持され
切断が安定した状態で行われる事を示している。
【００１３】
図５は事務・工作用のハサミで紙等を切断している時の上面図である。切断作業に入る前
から非常に不安定で、刃の反りを合わせて考えると直線が上手く切れない状態である。
【実施例】
【００１４】
図２は、本発明の代表図である。
【産業上の利用可能性】
【００１５】
事務・工作用のハサミとして作業時に刃線の反り等による作業時間の低下が
解消されるハサミとして、また高齢者や子供が使用してもハサミの反りや紙の曲がりを
あまり気にしないで紙等の切断ができるようになる。
【符号の説明】
【００１６】
１  紙やビニール袋等
２  刃片
３  柄部
４  支軸
５  ハサミ本体の刃線と支え板の取り付け位置の位相差
６  支え板付きのハサミで切った時のカエリの広がり
７  支え板
８  スペーサー
９  刃線
１０  支え板と刃線の合力が加わる位置  
１１  刃裏面
１２  刃先
１３  刃元
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
金属板をプレス成型された板状のものからなる事務用のハサミの静、動双方の
刃元より刃先側の刃表にハサミの刃元から刃先までの刃線と同じ形状で
刃線と反対側は本体の刃幅を超えない幅とした特定の厚みからなる支え板の
間に、刃線及び研磨刃を除いた部分に特定の厚みのスペーサーを入れ、
ハサミ本体の刃線から切断対象の紙等の厚み以上、支え板を遠ざけて取り付け、
切断時の紙等の変形を抑える事を特徴とする直線が楽に切れるハサミ。
【請求項２】
請求項１に記載したハサミであって、線、もしくは面で受け、より安定した状態
で切断作業が行われる様になった事を特徴とする直線が楽に切れるハサミ。
【請求項３】
請求項１に記載したハサミであって、切断を始めると同時に刃の付かない支え板に切断力
が分散されハサミにかかる力が軽くなる事を特徴とする直線が楽に切れるハサミ。
【請求項４】
請求項１に記載したハサミであって、切断対象の紙等は刃線の反りの影響を受けにくく
なる事を特徴とする直線が楽に切れるハサミ。
【手続補正２】
【補正対象書類名】明細書
【補正対象項目名】全文
【補正方法】変更
【補正の内容】
【発明の詳細な説明】
【技術分野】
【０００１】
本発明は事務・工作用のハサミに関するものである。
【背景技術】
【０００２】
事務・工作の作業で紙等を直線に切りたい時、刃線の反りの影響等で直線に切るのは
難しい。また、高齢者や子供にカッターでの作業は危険が伴う。
【先行技術文献】
【特許文献】
【０００３】
【特許文献１】特許６１５９９１３
【発明の概要】
【発明が解決しようとする課題】
【０００４】
事務・工作の作業の効率化をはかると共にもどかしさをなくしたい。また高齢者や子供
が使用してもハサミの反りや紙の曲がりを気にしないで切断時に紙の変形を抑える事に
より直線が楽に切れるハサミを提供したい。
【課題を解決するための手段】
【０００５】
事務・工作用のハサミの静、動双方の刃表に、ハサミの刃元から刃先までの刃線と同じ
形状の支え板を特定の厚みのスペーサーを介し、遠ざけて取り付け、切断時の紙等に
かかる負荷を抑える。同時に図２−５で示す様に支え板を刃線より下に取り付ける事に
より刃線で切断対象の紙等を切断した後、支え板で切断対象の紙等を支え、曲げ等の
切断対象の変形を抑える。
また静、動双方の刃表側に刃線と同じ形状の支え板を取り付けた事により切断が始まり
支え板で支えた時には水平断面で刃線の２点と支え板の２点で保持され切断対象の紙等
は刃線の反りの影響を受けにくくなる。
また支え板を取り付けた請求項１の形にする事により、紙等の切断時に紙等の重力を点で
受け不安定な状態で切断作業が行われていたものが線、もしくは面で受け、より安定した
状態で切断作業が行われる。そして請求項１の形状にすることによりハサミ本体の静、動
双方の刃で紙の切断を始めると支え板と刃線の合力が支え板と刃線の中央付近を力点とした
曲げモーメントが切断の助けをする等でハサミの反りや紙の曲がりをあまり気にしないで
紙等の切断ができるようになる。
【発明の効果】
【０００６】
事務・工作の作業の時、刃線の反りによる切り口の乱れ等をなくすることで、効率を上げ、
品質を上げることができる。また高齢者や子供が使用しても、同様の効果がある。
【図面の簡単な説明】
【０００７】
【図１】図１は一般的な事務用バサミで紙等を切断している時の断面図である。
【図２】図２は支え板を付けた状態の断面図である。
【図３】図３は支え板を付けた状態の全体図である。
【図４】図４は支え板を付けて紙等を切断している時の上面図である。
【図５】図５は一般的な事務用バサミで紙等を切断している時の上面図である。
【発明を実施するための形態】
【０００８】
本発明の実施形態を図１〜図５に基づいて説明する。
【０００９】
図１は事務・工作用のハサミで紙等を切断している時の断面を示した図である。
【００１０】
図２は支え板を付けた状態の断面図で、静、動双刃の外側にスペーサー、支え板で紙等を
切断している仕組みについて現している。
【００１１】
図３は支え板を付けた時の全体図である。刃線と支え板の関係を側面から示している。
【００１２】
図４は支え板を付けて紙等を切断している時の上面図である。切断時に紙等が保持され
切断が安定した状態で行われる事を示している。
【００１３】
図５は事務・工作用のハサミで紙等を切断している時の上面図である。切断作業に入る前
から非常に不安定で、刃の反りを合わせて考えると直線が上手く切れない状態である。
【実施例】
【００１４】
図２は、本発明の代表図である。
【産業上の利用可能性】
【００１５】
事務・工作用のハサミとして作業時に刃線の反り等による作業時間の低下が
解消されるハサミとして、また高齢者や子供が使用してもハサミの反りや紙の曲がりを
あまり気にしないで紙等の切断ができるようになる。
【符号の説明】
【００１６】
１  紙やビニール袋等
２  刃片
３  柄部
４  支軸
５  ハサミ本体の刃線と支え板の取り付け位置の位相差
６  支え板付きのハサミで切った時のカエリの広がり
７  支え板
８  スペーサー
９  刃線
１０  支え板と刃線の合力が加わる位置  
１１  刃裏面
１２  刃先
１３  刃元
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
金属板をプレス成型された板状のものからなる事務用のハサミの静、動双方
の刃元より刃先側の刃表にハサミの刃元から刃先までの刃線と同じ
形状で刃線と反対側は本体の刃幅を超えない幅とした特定の厚みから
なる支え板の間に、刃線及び研磨刃を除いた部分に特定の厚みの
スペーサーを入れ、ハサミ本体の刃線から切断対象の紙等の厚み以上、
支え板を遠ざけて取り付け、切断時の紙等の変形を抑える事を特徴と
する直線が楽に切れるハサミ。
【請求項２】
請求項１に記載したハサミであって、線、もしくは面で受け、より安定
した状態で切断作業が行われる様になった事を特徴とする直線が楽に切れる
ハサミ。
【請求項３】
請求項１に記載したハサミであって、切断を始めると同時に刃の付かない
支え板に切断力が分散されハサミにかかる力が軽くなる事を特徴とする
直線が楽に切れるハサミ。
【請求項４】
請求項１に記載したハサミであって、切断対象の紙等は刃線の反りの影響を
受けにくくなる事を特徴とする直線が楽に切れるハサミ。
【手続補正２】
【補正対象書類名】明細書
【補正対象項目名】全文
【補正方法】変更
【補正の内容】
【発明の詳細な説明】
【技術分野】
【０００１】
本発明はオフィスや家庭で好適に用いられる事務用ハサミに関するものである。
【背景技術】
【０００２】
オフィスや家庭で事務処理作業等の中で簡単に紙等を直線に切りたい場合に、
切り口に刃線の反りが出てしまいもどかしい思いをする場面が多い。
また、高齢者や子供がチラシやコピー用紙等をハサミの反りや紙の曲がりを
修正しながら直線を切ることは難しく、カッター等を使用してしまう場面が
多い。しかし、高齢者や子供では安全上不安が残るのが現状である。
【先行技術文献】
【特許文献】
【０００３】
【特許文献１】特許６１５９９１３
【発明の概要】
【発明が解決しようとする課題】
【０００４】
オフィスや家庭で好適に用いられる事務用ハサミの使用での作業の効率化を
はかると共にもどかしさをなくしたい。また高齢者や子供
が使用してもハサミの反りや紙の曲がりをあまり気にしないで切断時に紙の
変形を抑える事により直線が楽に切れるハサミを提供したい。
【課題を解決するための手段】
【０００５】
金属板をプレス成型された板状のものからなる事務用のハサミの静、動双方
の刃元より刃先側の刃表面にハサミの刃元から刃先までの刃線と同じ形状で
刃線と反対側は本体の刃幅を超えない幅とした特定の厚みからなる支え板の間に、
刃線及び研磨刃を除いた部分に特定の厚みのスペーサーを入れ、ハサミ本体の
刃線から切断対象の紙等の厚み以上、支え板を遠ざけて取り付け、切断時の紙等
の変形を抑える。
これにより静、動双方の刃線により切断対象の紙等の先端が切断された後、
支え板で切断対象の紙等を支え、曲げ等の切断対象の変形を抑える。
また静、動双方の刃表側に刃線と同じ形状の支え板を取り付けた事により切断が
始まり支え板で支えた時には水平断面で刃線の２点と支え板の２点で保持され
切断対象の紙等は刃線の反りの影響を受けにくくなる。
また支え板を取り付けた請求項１の形にする事により、紙等の切断時に紙等の
重力を点で受け不安定な状態で切断作業が行われていたものが線、もしくは面で受け、
より安定した状態で切断作業が行われる。そして請求項１の形状にすることにより
ハサミ本体の静、動双方の刃で紙の切断を始めると支え板と刃線の合力が支え板と
刃線の中央付近を力点とした曲げモーメントが切断の助けをする等でオフィスや
家庭で好適に用いられる事務用の一般的なハサミより軽く楽に切れる様になった。
【発明の効果】
【０００６】
オフィスや家庭で事務用として使用され作業時に刃線の反りによる切り口の乱れ等
による作業時間の低下が解消される。また高齢者や子供が使用してもハサミの反りや
紙の曲がりをあまり気にしないで紙等の切断が出来るようになる。
【図面の簡単な説明】
【０００７】
【図１】図１は一般的な事務用ハサミで紙等を切断している時の断面図である。
【図２】図２は支え板を付けた状態の断面図である。
【図３】図３は支え板を付けた状態の全体図である。
【図４】図４は支え板を付けて紙等を切断している時の上面図である。
【図５】図５は一般的な事務用ハサミで紙等を切断している時の上面図である。
【発明を実施するための形態】
【０００８】
本発明の実施形態を図１〜図５に基づいて説明する。
【０００９】
図１は一般的な事務用ハサミで紙等を切断している時の断面を示した図である。
【００１０】
図２は支え板を付けた状態の断面図で、静、動双刃の外側にスペーサー、支え板で紙等
を切断している仕組みについて現している。
【００１１】
図３は支え板を付けた時の全体図である。刃線と支え板の関係を側面から示している。
【００１２】
図４は支え板を付けて紙等を切断している時の上面図である。切断時に紙等が保持され
切断が安定した状態で行われる事を示している。
【００１３】
図５は一般的な事務用ハサミで紙等を切断している時の上面図である。切断作業に入る
前から非常に不安定で、刃の反りを合わせて考えると直線が上手く切れない状態である。
【実施例】
【００１４】
図２は、本発明の代表図である。
【産業上の利用可能性】
【００１５】
オフィスや家庭用のハサミとして作業時に刃線の反り等による作業時間の低下
が解消されるハサミとして、また高齢者や子供が使用してもハサミの反りや紙の曲がりを
あまり気にしないで紙等の切断が出来るようになる。
【符号の説明】
【００１６】
１  紙やビニール袋等
２  刃片
３  柄部
４  支軸
５  ハサミ本体の刃線と支え板の取り付け位置の位相差
６  支え板付きのハサミで切った時のカエリの広がり
７  支え板
８  スペーサー
９  刃線
１０  支え板と刃線の合力が加わる位置  
１１  刃裏面
１２  刃先
１３  刃元